(57)【要約】      （修正有）【課題】使用上安全かつ省力的に木材の平衡を保ち、足踏みの力だけで薪を刃に押し付ける方式による薪割り機を提供する。【解決手段】副枠、トップフレームを含み、副枠の一端とトップフレームの一端をヒンジで連結し、其の特徴はトップフレームと副枠の連結端部にトップフレームに沿って往復移動できる斧を、トップフレームの自由端にフートペダルを、副枠の上に固定的なブロック形の架台を、ブロック形の架台の上にスプリングを設けられ、スプリングのもう一方は斧の下端の両側に連結して、斧とブロック形の架台の間に一つの揺動できるジョイントプレートを設けられ、トップフレームの自由端にトップフレームに沿って往復移動できる木製リンクストッパーが設けられている。【選択図】図１
0003135723.tif 000002
【実用新案登録請求の範囲】
【請求項１】
副枠、トップフレームを含み、前記副枠の一端と前記トップフレームの一端をヒンジで連結した一種の足踏み式薪割機であって、
前記トップフレームと前記副枠の連結端部に前記トップフレームに沿って往復移動できる斧が、前記トップフレームの自由端にフートペダルが、前記副枠の上に固定的なブロック形の架台が、前記ブロック形の架台の上にスプリングがそれぞれ設けられ、
前記スプリングのもう一方は前記斧の下端の両側に連結して、前記斧と前記ブロック形の架台の間に一つの揺動できるジョイントプレートが設けられ、
前記トップフレームの自由端に前記トップフレームに沿って往復移動できる木製リンクストッパーが設けられていることを特徴とする足踏み式薪割機。
【請求項２】
前記トップフレームが管状で、底部の仕上げが一列のラチェットがあることを特徴とする請求項１に記載の足踏み式薪割機。
【請求項３】
前記木製リンクストッパーの下部に回転できるトップフレーム底部のラチェットに整合する尺取爪があることを特徴とする請求項１に記載の足踏み式薪割機。
【請求項４】
前記尺取爪に曲げのハンドルがあり、前記ハンドルにバランサブロックがあることを特徴とする請求項３に記載の足踏み式薪割機。
【請求項５】
前記斧のトップフレームの上部の両側に対称的に分布する木製ストラットバーが二つあることを特徴とする請求項１に記載の足踏み式薪割機。
【請求項６】
前記斧の両側に片状のリードがあることを特徴とする請求項１に記載の足踏み式薪割機。
【請求項７】
前記トップフレームの自由端に磁石があることを特徴とする請求項１に記載の足踏み式薪割機。
【請求項８】
前記トップフレームが前記副枠と連結する側に高度を調節できるねじとナットが設けられていることを特徴とする請求項１に記載の足踏み式薪割機。
【請求項９】
前記副枠の自由端にＵ型管或いはＶ型管が設けられていることを特徴とする請求項１に記載の足踏み式薪割機。
【考案の詳細な説明】
【技術分野】
【０００１】
本考案は、木材加工機械の分野に属し、具体的には一種の薪割機に関するものであり、特に、足踏み式パワーによる薪割り機に関する。
【背景技術】
【０００２】
現在、家庭用薪割の方法は殆ど斧を使用して直接割り、薪を固定してから、斧で薪に向って力を入れて割る。斧の方向をコントロールしにくい為、斧で割った薪の大きさが違い、更に重要なのは大変不安全である。
【０００３】
特許文献１と特許文献２は、これらは全てジャッキ或いはラチェット装置を機械レバーアームと連接する方法を採用したが、この２種類の装置は全て構造に複雑な問題が存在して、レバーとジャッキ或いはラチェット装置がそれぞれのレバーにてコントロールされ、操作が複雑である。また、これらのレバーは人の腕でコントロールするため、レバーに加える力が制限され、その他に薪を割る前に薪の安定性を維持する装置がないため、斧が薪に接触する前に、これらの薪は斧の下方で平衡の状態を保持しなければならない。
【特許文献１】米国特許第４，２５５，４０７号明細書
【特許文献２】米国特許第５，５７５，３１９号明細書
【考案の開示】
【考案が解決しようとする課題】
【０００４】
一般家庭での薪割りは、斧を使用して割が、大きな力を要し、危険度も高い。また、特許文献１と、特許文献２は、全てジャッキ或いはラチェット装置を機械レバーアームと連接する方法を採用したが、この２種類の装置は全て構造が複雑な問題が存在している。すなわち、レバーとジャッキ或いはラチェット装置がそれぞれのレバーでコントロールされ、操作が複雑である。また、これらのレバーは人の腕でコントロールするため、レバーに加える力が制限される。さらに薪を割る前に薪の安定性を維持する装置がないため、斧が薪に接触する前に、これらの薪は斧の下方で平衡の状態を保持しなければならない。
【０００５】
本考案は上記事情に着目してなされたもので、その目的は、使用上安全かつ省力的に木材の平衡を保ち、足踏みの力だけで薪を刃に押し付ける方式による薪割り機を提供することにある。
【課題を解決するための手段】
【０００６】
本考案は、後に述べる技術的方法により考案されたものである。
【０００７】
１、   台座。
【０００８】
２、   当薪割り機は、台座と上下台を先端部に連結している。
【０００９】
３、   上下台の先端部に可動式薪割り刃をもうけ、それを蝶番（ヒンジ）とバネにより上下台を上下に可動させる。上下台の反対側に足踏みペダルをとりつける。
【００１０】
４、   薪割刃のペダル側に薪支え棒２本を設置し、割る薪の安定をはかる。
【００１１】
５、   薪割刃についているバネと蝶番によって、上下台およびペダルを持ち上げる。
【００１２】
上下台に往復できる薪押し込み可動部が設置されている。上下台は筒状になっており、底側は歯止め構造になっている。薪押し込み可動部の底側にストップレバーがついている。ストップレバーの端にバランス調整用の錘（おもり）があり、その重力作用で尺取爪が上下台の歯止め溝に食い込み逆戻りを防ぐ。
【００１３】
６、   足で踏み込むと薪押し込み可動部が薪割り刃の方向へ薪を押し込む。それと同時に、薪割り刃全体が蝶番の働きで薪の方向に食い込む。足が足踏みペダルから離れるとバネの作用で薪割り刃が元の位置に戻り、同時に上下台も上昇して元の位置に戻る。薪割り刃が戻ると同時に薪も下へ移動、薪押し込み可動部も同時に下へ可動する。これを繰り返すことによって薪を割る。
【００１４】
７、   薪支え棒により、割られる薪が左右対称に保持される。そのためほぼ中心で割ることができる。薪を割り終えた後、薪押し込み可動部の爪を歯止めから外した状態でペダル方向に戻し上部のマグネット部で固定する。
【考案の効果】
【００１５】
当実用的な新型製品は一種の使用上安全、省力、木材の固定と取付の・平衡が便利、足で操作できる薪割機を目指しています。
【００１６】
当該実用的な新型製品は後述の技術方案を通して実現したものである。即ち、一種の足踏み式薪割機で、台座、上下台を含み、台座の一端と上下台の一端をヒンジで連結し、其の特徴は上下台と台座の連結端部に上下台に往復移動できる薪割り刃を設け、上下台の一方に足踏みタベルを設け、台座で固定的なブロック形の架台を、ブロック形の架台でスプリングを設け、スプリングのもう一方は斧の下端の両側に連結している。スプリングの弾力作用によって、上台は比較的に高い位置に保持でき、斧とブロック形の架台の間に一つの揺動できるジョイントプレートを設け、上台の自由端に往復移動できる薪押し込み可動部が設けられている。
【００１７】
上下台が管状で、底部の仕上げが一列のラチェットがあり、薪押込み可動部の下部で回転できる上下台底部のラチェットに整合する尺取爪があり、尺取爪に曲げたハンドがあり、ハンドにバランサブロックがある。バランサブロック自身の重力作用で、尺取爪が上下台の底部のラチェットとパギングして、薪押込み可動部を斧の方向だけに移動させて、したがって薪をも持続的に斧の方向に移動させる。足で足踏みタベルに対して圧力を加え、上下台を降下させて、ジョイントプレートの作用で、斧は薪押込み可動部に移動させ、薪に割り込んで、足を足踏みタベルから離れると、スプリングの弾力で、斧は元の位置に戻って、同時に上下台も上昇し元の位置に戻り、斧が一部分の割られた薪を引っ張って上下台に沿って下へ一段の距離を移動して、それで如何なる制約も受けない薪押込み可動部も下へ同じ距離を移動する。この時に引き続き足で足踏みタベルを踏んで、部分的に割れた薪を更に一部分を割ることができ、このように薪を完全に割れるまで繰り返して操作する。薪が割られたら、尺取爪のハンドルを上へ回して、尺取爪をラチェットの中から離れさせ、そして薪押込み可動部を足踏みタベルの自由端に戻らせる。
【００１８】
斧の上で上台の上部の両側に対称的に分布する薪支え棒が二つあるため、薪の平衡を容易に保持でき、併せて薪を大きさの相似の二つに割ることができる。
【００１９】
斧の両側に片状のリードがあり、斧は薪に割り込んだときに、リードの弾力で、薪が更に容易に割られる。
【００２０】
上下台の自由端と足踏みペダルに近いところに強力な磁石が設けられている。それは薪を替える時、薪押込み可動部に臨時的な固定作用が発揮でき、薪を容易に据付けられる。身長が違う人の操作を適応するため、上下台が台座と連結する側に高さを調節できるねじとナットが設けられ、足踏みペダルの高さを調整できる。
【００２１】
台座の自由端に安定強化のＵ型管或いはＶ型管が設けられているため、作業する時の安定性をアップした。
【００２２】
当該実用的な新型製品の強度と使用寿命を保証するために、当該発明製品の各部品は高力の金属材料で製造されたものである。
【００２３】
当該実用的な新型製品は足で操作して、腕を使うよりもっと力を入れることができ、一本の上下台の往復運動で斧を自動的に薪に割り込ませ及び貫通させる事ができる。薪を固定、平衡するために、側面から薪支え棒を設置して、更に簡単に力を加え薪を割ることができ、構造簡単・使用便利・安全・省力等の長所がある。其の上割られた薪の大きさと規格を把握できて、特に郊外旅行などの使用に適応する。
【考案を実施するための最良の形態】
【００２４】
［実施例１］
図１、図２、図３に示す。図示したように、上下台（トップフレーム）３の一端は台座（副枠）１５の一端とヒンジで連接して、斧１０を上下台と台座１５の一端にネスティングする。上下台３の自由端に足踏みペダル（フートペダル）１を設けている。上下台３と台座１５の連接側に高度を調整するねじ１２とナット１１が取り付けられている。台座１５の上に固定的なブロック形架台１３が設けられている。ブロック形架台１３はスプリング８とスプリング９を通じて斧１０と連接する。斧１０とブロック形架台１３の間に１枚の揺動できるジョイントプレート１４を据付けている。薪押込み可動部（木製リンクストッパー）４は上下台３の上にネスティングされる。バランサブロック１９の重力作用で、尺取爪２１は上下台３の底部のラチェット１７とパギングされる。円柱形の磁石２は上下台３の中に埋め込む。台座１５の上でＵ型管１６が設けられる。
【００２５】
当該実用的な新型製品は作業する時に、高度調整ねじ１２を通して足踏みペダル１を適当な高さまで調整して、薪押込み可動部４を調整し、薪５を薪押込み可動部４と斧１０の間の上下台３の上に置く。そして薪支え棒６と薪支え棒７で薪５を固定・平衡する。薪５を置いてから、足で足踏みペダル１に圧力を加えて、上下台３を踏んで降下させ、ジョイントプレート１４の作用で、斧１０は薪押込み可動部４の方向へ移動して、薪５に割り込む。足が足踏みペダル１から離れると、スプリング８とスプリング９の弾力で、斧１０は元の位置に戻って、同時に上下台３も上昇して元の位置に戻る。斧１０が一部分の割られた薪５を引っ張って上下台３に沿って下へ一段の距離を移動して、それで如何なる制約も受けない。薪押込み可動部４も下へ同じ距離を移動する。この時に引き続き足で足踏みペダル１を踏んで、部分的に割れた薪５を更に一部分を割ることができる。このように薪５を完全に割れるまで繰り返して操作する。薪が割られたら、尺取爪２１のハンドル１８を上の２０へ回して、尺取爪２１をラチェット１７の中から離れさせ、そして薪押込み可動部４を磁石２に移動して固定する。
【００２６】
［実施例２］
図１、図２、図３、図４に示す。図示したように、斧１０の上にリード２２とリード２３が据付けられている。斧１０が薪５に割り込んだときに、リード２２とリード２３は薪５に対し外向けの弾力があり、実施例１に比べて、薪５はもっと簡単・省力的に割られる。その他は実施例１と同じである。
【００２７】
［実施例３］
図１、図２、図３、図５に示す。図示したように、斧１０の上にリード２２とリード２３が据付けられている。斧１０が薪５に割り込んだときに、リード２２とリード２３は薪５に対し外向けの弾力があり、実施例１に比べて、薪５はもっと簡単・省力的に割られる。その他は実施例１と同じである。
【００２８】
当該実用的な新型製品の実施例は上述に限られず、副枠に１つのＶ型管を設置する場合に、或いは磁石が包み形式でトップフレームに据付けられる場合に、効果が同じである。
【図面の簡単な説明】
【００２９】
【図１】図１は当該実用的な新型製品の実施例１の作業説明図。
【図２】図２は図１の局部拡大透視図。
【図３】図３は図２の中の部品の局部拡大図。
【図４】図４は当該実用的な新型製品の実施例２の斧の鳥瞰図。
【図５】図５は当該実用的な新型製品の実施例３の斧の鳥瞰図。
【符号の説明】
【００３０】
１…足踏みペダル（フートペダル）、３…上下台（トップフレーム）、４…薪押込み可動部（木製リンクストッパー）、８…スプリング、９…スプリング、１０…斧、１３…ブロック形架台、１４…ジョイントプレート、１５…台座（副枠）。
【図１】
0003135723.tif 000003
【図２】
0003135723.tif 000004
【図３】
0003135723.tif 000005
【図４】
0003135723.tif 000006
【図５】
0003135723.tif 000007